(57)【要約】【課題】プレパラートにある組織標本や細胞の配置状態を顕微鏡観察前に目視で容易に把握することができる照明部を有する顕微鏡を提供すること。【解決手段】顕微鏡２０の本体部分２１のベース部２９にプレパラート５０の少なくとも標本領域５１を照明するプレパラート照明手段３５を配置し、このプレパラート照明手段３５を照明する光として顕微鏡２０の透過照明用光源２６からの光を使用可能なことを特徴とする顕微鏡２０。【選択図】図１
2010015044.tif 000002
【特許請求の範囲】
【請求項１】
顕微鏡と、
前記顕微鏡での観察を行う際の標本の設置位置を除く当該顕微鏡のいずれかの領域に設けられたプレパラート設置部と、
前記プレパラート設置部の少なくとも設置されたプレパラート中の標本領域を照明するプレパラート照明手段と、
を有することを特徴とする顕微鏡。
【請求項２】
前記顕微鏡は、当該顕微鏡による標本観察用の照明光源を有し、
前記プレパラート照明手段は、前記照明光源に対向する前記顕微鏡に配置され、前記照明光源からの光束により前記プレパラートを照明することを特徴とする請求項１に記載の顕微鏡。
【請求項３】
前記光源からの光束を前記顕微鏡の対物レンズ方向と前記プレパラート照明手段方向のいずれかに切換える光路切換え手段を有することを特徴とする請求項１または２に記載の顕微鏡。
【請求項４】
前記プレパラート照明手段は、前記照明光源から設置される前記プレパラートに照射される光を均一にする光散乱手段を有することを特徴とする請求項１から３のいずれか１項に記載の顕微鏡。
【請求項５】
前記光路切換え手段は、ミラーを含み、
前記ミラーを照明光学系の光軸に対して所定の傾きに保持する保持手段を有することを特徴とする請求項１から４のいずれか１項に記載の顕微鏡。
【請求項６】
前記光源からの光束を前記顕微鏡の対物レンズ方向に偏向するミラー部材を有し、
前記ミラー部材の周辺部に開口部を有することを特徴とする請求項２に記載の顕微鏡。
【請求項７】
前記開口部は、レンズ部材を有することを特徴とする請求項６に記載の顕微鏡。
【請求項８】
前記レンズ部材は、フライアイレンズを含むことを特徴とする請求項６または７に記載の顕微鏡。
【請求項９】
前記プレパラート照明手段は、当該プレパラート照明手段からの漏れ光を防止、または迷光を防止する遮光部材を有することを特徴とする請求項１から８のいずれか１項に記載の顕微鏡。
【請求項１０】
前記プレパラート照明手段は、前記顕微鏡のステージに配置されていることを特徴とする請求項１に記載の顕微鏡。
【発明の詳細な説明】
【技術分野】
【０００１】
本発明は、顕微鏡に関する。
【背景技術】
【０００２】
従来、プレパラート上の組織標本や細胞は、顕微鏡のステージに載置されて観察者により拡大観察される。（例えば、特許文献１参照）。
【特許文献１】特開２００１−２４２３８４号公報
【発明の開示】
【発明が解決しようとする課題】
【０００３】
観察者がプレパラート上の組織標本や細胞を顕微鏡で観察する際、顕微鏡での観察前にプレパラート上にある組織標本や細胞の配置状態を把握するために、プレパラート上の組織標本や細胞の全体像を室内の蛍光灯等にかざして確認するなどが行われている。ここで、簡便にプレパラート上にある組織標本や細胞の配置状態を把握できる手段が求められている。
【課題を解決するための手段】
【０００４】
上記課題を解決するため、本発明は、顕微鏡と、前記顕微鏡での観察を行う際の標本の設置位置を除く当該顕微鏡のいずれかの領域に設けられたプレパラート設置部と、プレパラート設置部の少なくとも設置されたプレパラート中の標本領域を照明するプレパラート照明手段と、を有することを特徴とする顕微鏡を提供する。
【発明の効果】
【０００５】
本発明によれば、プレパラートにある組織標本や細胞の配置状態を顕微鏡観察前に目視で容易に把握することができる照明部を有する顕微鏡を提供することができる。
【発明を実施するための最良の形態】
【０００６】
以下、本発明の実施の形態に係る顕微鏡について図面を参照しつつ説明する。なお、以下の実施の形態は、発明の理解の容易化のためのものに過ぎず、本発明の技術的思想を逸脱しない範囲において当業者により実施可能な付加・置換等を施すことを排除することは意図していない。
【０００７】
（第１実施の形態）
図１は、第１実施の形態に係る顕微鏡の側面概観図である。図２（ａ）は、ベース部の部分断面を含む顕微鏡本体を示し、（ｂ）は、（ａ）のベース部をＡ方向から見た図を、（ｃ）は、ベース部先端部のみの図を、（ｄ）は、（ｃ）のベース部をＡ方向から見た図をそれぞれ示す。図３（ａ）は、ミラーを光路に傾けて配置した状態の光路切換え部分の断面図を、（ｂ）は、（ａ）の光路切換え部分のミラーをＡ方向から見た図を、（ｃ）は、（ａ）の光路切換え部分のミラーをＢ方向から見た図を、（ｄ）は、ミラーを倒して光路から外した状態の光路切換え部分の断面図をそれぞれ示す。
【０００８】
図１において、顕微鏡２０は、顕微鏡本体２１と、顕微鏡本体２１に配置された接眼鏡筒２２と、複数の対物レンズ２３を観察位置に配置するレボルバ２４と、標本５１を載置したプレパラート５０を載置するステージ２５と、透過照明用光源２６と、後述するプレパラート照明部３５とから構成されている。
【０００９】
観察者は、透過照明用光源２６からの照明光をプレパラート５０に載置した標本５１に照射し、フォーカスノブ２７を回転させることでステージ２５を上下動し、標本５１に対物レンズ２３をフォーカシングし、対物レンズ２３で光を集光して、接眼鏡筒２２を介して接眼レンズ２８で標本５１の像を観察する。
【００１０】
顕微鏡本体２１のベース部２９の観察者側には、プレパラート５０の少なくとも標本領域全体を照明して、観察者に標本の状態を肉眼で観察可能にするプレパラート照明部３５が配置されている。
【００１１】
このプレパラート照明部３５は、図２（ａ）に示すように、顕微鏡本体２１のベース部２９の前面傾斜部２９ａに配置されている。なお、図２では、顕微鏡本体２１は、図１に示すステージ２５、レボルバ２４、フォーカスノブ２７等は、記載を省略している。
【００１２】
図２（ａ）において、顕微鏡本体２１の背面下部には、顕微鏡観察時に用いる透過照明用光源２６が配置され、ベース部２９の内部に透過照明用光源２６の光束を通すための空間２９ｓが形成されている。この空間には、顕微鏡２０の照明光学系２９ｂが形成されている。透過照明用光源２６の例えばハロゲンランプ２６ａからの光束は、照明光学系２９ｂに配置された、コレクタレンズ４１で平行な光束にされ、光量調整用の例えばＮＤフィルタ、あるいはその他のフィルタ等のフィルタ４２を通過したのち、照明光学系２９ｂの光軸ＩＸに対して略４５度傾けて配置されたミラー４３に入射する。
【００１３】
ハロゲンランプ２６ａからの光束は、ミラー４３で反射されてレンズ４５を通過して、不図示のコンデンサーレンズを介してステージ２５に載置されたプレパラート５０上の標本５１を照明する。
【００１４】
ミラー４３は、図３（ａ）に示すように、ミラー固定部材４３ａに固定されている。ミラー固定部材４３ａには、図３（ｂ）、（ｃ）に示すようにミラー４３を光軸ＩＸから退避する時に操作する操作レバー４４が配置されている。操作レバー４４は、一方の端をミラー固定部材４３ａにネジ止めされ、他方の端にはミラー４３を所定の位置で固定するためのノブ４４ａに螺合するレバー４４ｂで構成されている。
【００１５】
レバー４４ｂは、図２（ｃ）に示すベース部２９に円弧状に形成された溝２９ｃに係合し、ベース部２９の外側面にノブ４４ａでネジ締め固定される。この際、ベース部２９の壁面とノブ４４ａとの間にゴム等の弾性体４４ｃを挟むことでノブ４４ａを締めすぎることなく、かつベース部２９を傷つけることなくミラー４３を透過照明用光源２６からの光をレンズ４５方向へ反射可能な所定位置（角度約４５度）に固定することができる。
【００１６】
ミラー固定部材４３ａの下部には、ミラー固定部材４３ａをベース部２９の内側に回動可能に固定する蝶番４３ｂが配置されている。観察者が、操作レバー４４を溝２９ｃに沿って移動することで、ミラー４３を光軸ＩＸに対して４５度傾けた状態から、ミラー４３を光路から外した状態（図３（ｄ）に示すように空間２９ｓの底部にミラー固定部材４３ａが接触する状態）まで移動することができる。なお、空間２９ｓ内には、ミラー４３を光軸ＩＸに対して略４５度で固定する際に、ミラー４３の表面周辺部に接触してミラー４３の角度を所定角度に支持する支持部２９ｄが設けられている。これにより、光軸に対するミラー４３の角度を正確に設定することができる。
【００１７】
図２（ａ）に示すように、ベース部２９の空間２９ｓは、ベース部２９の前面傾斜部２９ａまで形成されている。前面傾斜部２９ａには、プレパラート照明部３５用の開口部３５ａが形成され、この開口部３５ａを塞ぐように半透明部材３５ｂが配置されている。半透明部材３５ｂは、ハロゲン光源２６ａの光束を散乱させて、プレパラート照明部３５全体をほほ均一な明るさにする作用を有している。なお、半透明部材３５ｂは、例えばすりガラスや乳白色のプラスチック等が好ましいが、透明部材でも使用可能である。また、ミラー４３とプレパラート照明部３５との間に、光散乱部材、例えばすりガラス等を配置することでプレパラート照明部３５の明るさをより均一にすることができる。このようなプレパラート照明部３５は、例えばＸ線撮影フィルムを観察するシャーカステンと同様の作用、効果を有するものである。
【００１８】
図２（ａ）では、ミラー４３は光束をレンズ４５側に反射する位置に配置しているため、プレパラート照明部３５方向には光束が届いていない状態である。このため、図２（ｂ）に示すように、プレパラート照明部３５は、暗くなっている。
【００１９】
図２（ｄ）は、図２（ｃ）に示すように操作レバー４４を操作して、図３（ｄ）に示すようにミラー４３を倒した状態にして光源からの光束をプレパラート照明部３５に入射し、その照明光でプレパラート５０の標本５１の状態を観察している様子である。
【００２０】
以上述べたように、第１実施の形態に係る顕微鏡２０は、照明光学系２９に配置されている光路切換え部材であるミラー４３を光軸ＩＸに対して所定の角度（４５度）状態にセット（図２（ａ）、図３（ａ）参照）することで、光源２６ａからの光を対物レンズ２３方向に導き対物レンズ２３を介して標本５１を観察することができる。また照明光学系２９に配置されている光路切換え部材であるミラー４３を照明光学系２９の光路中から外す（図３（ｄ）参照）ことで、光源２６ａからの光をプレパラート照明部３５に照射し、この照明光によりプレパラート５０の標本５１の状態を目視することができる。
【００２１】
この結果、観察者はプレパラート５０を観察する際に特別な照明器具を準備する必要が無く、また接眼部での観察位置、姿勢を維持した状態で顕微鏡２０に搭載したプレパラート照明部３５を用いて簡単に観察することができる。
【００２２】
（第１変形例）
図４は、第１実施の形態の第１変形例を示し、（ａ）は、ベース部の部分断面を含む顕微鏡本体を示し、（ｂ）は、（ａ）のベース部をＡ方向から見た図を、（ｃ）は、ベース部先端部のみの図を、（ｄ）は、（ｃ）のベース部をＡ方向から見た図をそれぞれ示す。
【００２３】
第１変形例では、図４（ｂ）に示すようにプレパラート照明部３５の表面に、遮光板３６が配置されている。この遮光板３６は、ミラー４３が、図４（ａ）状態に設定されている時、ミラー４３を配置している部分の隙間から光が漏れてプレパラート照明部３５に達し、外部に光が漏れることを防止するものである。また、顕微鏡での観察時に迷光を防ぎ鮮明な標本像を得る効果も有する。
【００２４】
図４（ｃ）、（ｄ）に示すように遮光板３６は、蝶番３６ａによりベース部２９の前面傾斜部２９ａに開閉可能に設けられている。また、遮光板３６はプレパラート照明部３５をカバーしたときに遮光板３６をベース部２９に止めるフック３６ｂを有し、ベース部２９にはフック３６ｂを止めるフック止め２９ｆを有している。遮光板３６を閉じることにより、暗所で顕微鏡観察する場合に、プレパラート照明部３５からの漏れ光を防ぐことができる。また、プレパラート５０を観察するときは、図４（ｃ）、（ｄ）に示すように光板３６を開き、ミラー４３を光路から外すことで、プレパラート５０を照明することができる。
【００２５】
（第２変形例）
図５は、第１実施の形態の第２変形例を示し、（ａ）は、ミラーを光路に配置した状態の断面図を、（ｂ）は、（ａ）のミラーをＡ方向から見た図を、（ｃ）は、（ａ）のミラーをＢ方向から見た図をそれぞれ示す。
【００２６】
第２変形例では、ミラー４３を保持するミラー固定部材４３ａのミラー４３の周辺部分（図５では、左右部分）に、開口部４３ｆ、４３ｆが形成されている。また、ミラー４３は、照明光学系２９中に所定の角度（４５度）で固定されている。
【００２７】
第２変形例は、ミラー４３の周辺部分４３ｆ、４３ｆに開口部を形成することで、光源２６ａからの光束を、レンズ４５方向とプレパラート照明部３５方向の両方に同時に照射することができる。また、第１変形例の遮光板３６をプレパラート照明部３５に設けることで、顕微鏡観察時にプレパラート照明部３５からの漏れ光を防止することができる。また、顕微鏡での観察時に迷光を防ぎ鮮明な標本像を得る効果も有する。
【００２８】
なお、開口部は、図示の左右のみならず上下にも、あるいはミラー４３を囲むように形成し光束がプレパラート照明部３５を均一に照明するように構成しても良い。また、開口部にフライアイレンズ等の光学部材を配置して、光束がプレパラート照明部３５を均一に照明するように構成しても良い。
【００２９】
（第２実施の形態）
次に、第２実施の形態に係る顕微鏡について図面を参照しつつ説明する。
【００３０】
図６は、第２実施の形態に係る顕微鏡の側面概観図である。図７（ａ）は、図６の顕微鏡のステージを対物レンズ側から見た図を示し、図７（ｂ）は、（ａ）のＸ−Ｘ線に沿った断面図を示す。第１実施の形態と同様の構成には同じ符号を付し説明を省略する。
【００３１】
図６、図７において、第２実施の形態の顕微鏡１２０は、ステージ１２５に後述するプレパラート照明部１３５が配置されている。
【００３２】
図７に示すようにステージ１２５は、顕微鏡本体２１からの支持部に支持され、フォーカスノブ２７により上下動する固定部１２５ａと、固定部１２５ａに摺動可能に支持されたＹステージ１２５ｂと、Ｙステージ１２５ｂに摺動可能に支持されたＸステージ１２５ｃと、これらＸステージ１２５ｃ、Ｙステージ１２５ｂを不図示のラックアンドピニオンを介して駆動する駆動ツマミ１２６ｘ、１２６ｙ（図６参照）から構成されている。また、Ｘステージ１２５ｃには、プレパラート５０を保持する標本ホルダ１２７が、ネジ１２７ａ、１２７ａで固定されている。
【００３３】
プレパラート照明部１３５は、表面に光拡散板１３５ａを有し、Ｙステージ１２５ｂに、例えばＬＥＤ光源からなる面光源ユニット１３６が埋め込まれ、電源ＯＮ／ＯＦＦスイッチ１３８を介して電源１３７に接続されている。なお、光拡散板１３５ａの表面とＹステージ１２５ｂの表面とはほぼ同一表面になるように形成されている。
【００３４】
観察者は、標本ホルダ１２７にプレパラート５０を配置する前に、電源ＯＮ／ＯＦＦスイッチ１３８を操作して面光源ユニット１３６をＯＮにして照明光を発光させ、プレパラート５０の標本部分をプレパラート照明部１３５で観察して、顕微鏡観察する目標部分５１ａを目視で確認することができる。なお、面光源ユニット１３６の光源には、ＬＥＤ光源等が使用可能である。電源ＯＮ／ＯＦＦスイッチ１３８は、プレパラート５０と接触することで自動的のＯＮし、接触の解除でＯＦＦされるものでも良い。
【００３５】
その後、観察者は、プレパラート５０をプレパラート照明部１３５から標本ホルダ１２７にスライドさせて固定し、標本５１を観察する。この際、標本ホルダ１２７の中心線ＣＬに目標部分５１ａを一致させておくことで、標本ホルダ１２７にプレパラート５０をセットしたとき目標部分５１ａを容易に顕微鏡観察することができる。顕微鏡観察のときは、電源ＯＮ／ＯＦＦスイッチ１３８をＯＦＦすることで、プレパラート照明部１３５の光が顕微鏡観察時の障害になることを防止することができる。なお、プレパラート照明部１３５は、上記ステージ１２５以外に、ベース部２９の前面２９ａ、鏡筒２２の前面２２ａ、あるいは顕微鏡２０の側面部等に配置しても良い。
【００３６】
以上述べたように、実施の形態に係る顕微鏡では、プレパラート観察が必要なときに顕微鏡に設けられたプレパラート照明部にプレパラートをかざすことで標本を確認することができる。
【００３７】
また、プレパラート照明部を顕微鏡が有しているので、プレパラート観察のための別の光源が不要となる。
【００３８】
また、観察者は、顕微鏡での観察時の姿勢を大きく変えることなく観察前のプレパラート確認ができる。
【００３９】
なお、本実施の形態は、正立顕微鏡を例に説明したが、倒立顕微鏡にも適用可能である。正立顕微鏡の場合は、落射照明光源でプレパラート照明部を照明することができる。
【図面の簡単な説明】
【００４０】
【図１】第１実施の形態に係る顕微鏡の側面概観図である。
【図２】図２（ａ）は、ベース部の部分断面を含む顕微鏡本体を示し、（ｂ）は、（ａ）のベース部をＡ方向から見た図を、（ｃ）は、ベース部先端部のみの図を、（ｄ）は、（ｃ）のベース部をＡ方向から見た図をそれぞれ示す。
【図３】図３（ａ）は、ミラーを光路に傾けて配置した状態の光路切換え部分の断面図を、（ｂ）は、（ａ）の光路切換え部分のミラーをＡ方向から見た図を、（ｃ）は、（ａ）の光路切換え部分のミラーをＢ方向から見た図を、（ｄ）は、ミラーを倒して光路から外した状態の光路切換え部分の断面図をそれぞれ示す。
【図４】第１実施の形態の第１変形例を示し、（ａ）は、ベース部の部分断面を含む顕微鏡本体を示し、（ｂ）は、（ａ）のベース部をＡ方向から見た図を、（ｃ）は、ベース部先端部のみの図を、（ｄ）は、（ｃ）のベース部をＡ方向から見た図をそれぞれ示す。
【図５】第１実施の形態の第２変形例を示し、（ａ）は、ミラーを光路に配置した状態の断面図を、（ｂ）は、（ａ）のミラーをＡ方向から見た図を、（ｃ）は、（ａ）のミラーをＢ方向から見た図をそれぞれ示す。
【図６】第２実施の形態に係る顕微鏡の側面概観図である。
【図７】図７（ａ）は、図６の顕微鏡のステージを対物レンズ側から見た図を示し、図７（ｂ）は、（ａ）のＸ−Ｘ線に沿った断面図を示す。第１実施の形態と同様の構成には同じ符号を付し説明を省略する。
【符号の説明】
【００４１】
２０、１２０      顕微鏡
２１      顕微鏡本体
２２      接眼鏡筒
２３      対物レンズ
２４      レボルバ
２５、１２５      ステージ
２６      透過照明用光源
２７      フォーカスノブ
２８      接眼レンズ
２９      ベース部
３５、１３５  プレパラート照明部
３６      遮光板
４１      コレクタレンズ
４２      フィルタ
４３      ミラー
４４      操作レバー
４５      レンズ
５０      プレパラート
５１      標本
１２６      駆動ツマミ
１２７      標本ホルダ
１３６      面光源ユニット
１３７      電源
１３８      電源ＯＮ／ＯＦＦスイッチ
ＩＸ      光軸
ＣＬ      中心軸
【図１】
2010015044.tif 000003
【図２】
2010015044.tif 000004
【図３】
2010015044.tif 000005
【図４】
2010015044.tif 000006
【図５】
2010015044.tif 000007
【図６】
2010015044.tif 000008
【図７】
2010015044.tif 000009